(57)【特許請求の範囲】
【請求項１】
樹木に昇降するときに使用する樹木昇降補助具であって、
ロープと、２ケのフックと、から構成され、前記ロープの先端に前記２ケのフックが並列して接続されている墜落防止ロープと、
ベルトで構成され、前記ベルトの一端に前記墜落防止ロープのフック鉤部が係止可能な大きさの輪状に形成したアイ部を設け、前記ベルトの他端に前記アイ部が挿入可能な大きさの輪状に形成した複数個の環部を設けた、少なくとも２本のチョーク台付ベルトと、
より成る樹木昇降補助具。
【請求項２】
前記チョーク台付ベルトが、ベルトで構成され、前記ベルトの一端に前記墜落防止ロープのフック鉤部が係止可能な大きさの輪状に形成したアイ部が設けられており、前記ベルトの他端に前記アイ部が挿入可能な大きさの輪状に形成した複数個の環部が設けられており、
前記複数個の環部が、それぞれ同径の輪状に形成されて、前記ベルトに等間隔で重連的に設けられていることを特徴とする請求項１に記載の樹木昇降補助具。
【請求項３】
前記墜落防止ロープが、ロープと、取付プレートと、２ケのフックと、から構成され、
前記取付プレートに、相対する２ケのフック連結孔と、前記２ケのフック連結孔の中間部にロープ連結孔と、を設け、
前記２ケのフック連結孔に前記２ケのフックが並列して接続されており、前記ロープ連結孔に前記ロープが接続されていることを特徴とする請求項１に記載の樹木昇降補助具。
【請求項４】
作業者が昇降具及び安全帯を使用して樹木を昇降するに当たり、一端に２ケのフックを並列接続した前記墜落防止ロープの他端が作業者に装着した安全帯に接続されており、
１本目の前記チョーク台付ベルトを作業者より高い位置でそのアイ部を所定の環部に挿通して樹木に巻き付け、前記墜落防止ロープの一方のフックを前記１本目のチョーク台付ベルトのアイ部に係止する工程（ａ）と、前記１本目のチョーク台付ベルトが作業者の腰の位置に来るまで作業者が昇る工程（ｂ）と、別体の２本目の前記チョーク台付ベルトを作業者より高い位置でそのアイ部を所定の環部に挿通して樹木に巻き付け、前記墜落防止ロープの他方のフックを前記２本目のチョーク台付ベルトのアイ部に係止する工程（ｃ）と、前記墜落防止ロープの一方のフックを前記１本目のチョーク台付ベルトのアイ部より外して、前記１本目のチョーク台付ベルトを樹木より取り外す工程（ｄ）と、前記２本目のチョーク台付ベルトが作業者の腰の位置に来るまで作業者が昇る工程（ｅ）と、を１サイクルとして、
上記工程の繰り返し又は逆手順の繰り返しにより、樹木への昇降の開始から終了まで、作業者の腰より高い位置で、少なくとも１ケのフックが、いずれかの前記チョーク台付ベルトに接続されている、請求項１乃至３のいずれかに記載の樹木昇降補助具を用いた樹木昇降方法。
【請求項５】
作業者が昇降具及び安全帯を使用して樹木を昇降するに当たり、一端に２ケのフックを並列接続した前記墜落防止ロープの他端が作業者に装着した安全帯に接続されており、
複数の前記チョーク台付ベルトが用意されており、
１本目の前記チョーク台付ベルトを作業者より高い位置でそのアイ部を所定の環部に挿通して樹木に巻き付け、前記墜落防止ロープの一方のフックを前記１本目のチョーク台付ベルトのアイ部に係止する工程（ａ）と、前記１本目のチョーク台付ベルトが作業者の腰の位置に来るまで作業者が昇る工程（ｂ）と、別体の２本目の前記チョーク台付ベルトを作業者より高い位置でそのアイ部を所定の環部に挿通して樹木に巻き付け、前記墜落防止ロープの他方のフックを前記２本目のチョーク台付ベルトのアイ部に係止する工程（ｃ）と、前記墜落防止ロープの一方のフックを前記１本目のチョーク台付ベルトのアイ部より外す工程（ｄ）と、前記２本目のチョーク台付ベルトが作業者の腰の位置に来るまで作業者が昇る工程（ｅ）と、別体の３本目の前記チョーク台付ベルトを作業者より高い位置でそのアイ部を所定の環部に挿通して樹木に巻き付け、前記墜落防止ロープの一方のフックを前記３本目のチョーク台付ベルトのアイ部に係止する工程（ｆ）と、
以下同様にして所定の位置まで昇り、降りるときは、最終設置のチョーク台付ベルトから順次撤去しながら、同様の逆手順を繰り返して、樹木への昇降の開始から終了まで、作業者の腰より高い位置で、少なくとも１ケのフックが、いずれかの前記チョーク台付ベルトに接続されている、請求項１乃至３のいずれかに記載の樹木昇降補助具を用いた樹木昇降方法。
【発明の詳細な説明】
【技術分野】
【０００１】
本発明は、主として樹木の昇降作業において使用する樹木昇降補助具と、この樹木昇降補助具を用いた樹上の昇降方法に関する。
【背景技術】
【０００２】
電線に接触する樹木の枝を伐採する（線下伐採という）ため、また植林した樹木の枝打ちのために作業者は木に昇降する必要がある。このときの樹木昇降方法として、梯子（一本梯子と呼ばれる梯子主材が１本でステップ付きのものが多い）を樹木に沿うように立て掛けてそのステップを昇降する方法、樹木に固定するためのロープ又はベルトを備え、作業者の片足裏程度の大きさを有したステップ（単体足場）を５０ｃｍ程度間隔に配置しながら昇降する方法、爪の付いた金具を両足に装着して、その爪を樹に食い込ませながら昇降する方法、等がある。
【０００３】
この樹木への昇降作業や樹上での伐採作業は高所作業となり、作業者には墜落して死傷する危険性がある。そのため作業者はランヤードと呼ばれるフック付きのロープを備えた柱上安全帯を装着し、両側腰部に位置する環の一方に連結したロープで樹木の幹を抱き込み、ロープ先端のフックを他方の環に係止して、樹木との間にＵ字状の体勢保持（Ｕ字つりという）を行い、この安全帯によって樹木の幹と連結されて、万が一足を踏み外した場合の墜落を防止している。しかしながら、枝等があってランヤードのフックを掛け替えるときは、作業者と樹木の幹との連結が解かれる。このとき、墜落事故が発生する可能性が非常に高くなる。
【０００４】
建設現場等の高所作業においては、１本つり専用の安全帯が使用されているが、フックの掛け替え時における墜落を防止するため、ランヤード２本を取り付けて、どちらかのフックを堅固な構造物と連結させ、無胴綱状態（フックが係止されず、人体と構造物が連結されていない状態）を回避する手法がとられ、更に、万が一の墜落時において落下距離を短くして衝撃荷重を低減するために、ランヤードのフックの係止点は人体の腰より高い位置とされている。ところが、樹木の昇降では堅固な構造物は幹（枝では十分な強度が得られないことが多い）であり、ランヤードのフックを掛けることが困難である。
【０００５】
また、柱上安全帯のランヤードはロープを掴持する伸縮調節器により人体に巻き付けたベルトに連結されており、この伸縮調節器によりロープの長さ、つまり樹木との距離が調節でき、樹木との間にＵ字状の体勢保持を行って両手を自由として作業ができる。ところが、作業者が樹木をスムーズに昇降するためには、ある程度幹から腰を引いて、距離を保つ必要がある。このように樹木との距離が離れた状態で足を踏み外した場合、そのままの状態で下方向へ滑落することがあった。従って、主ランヤードとは別の副ランヤードを用いて墜落を防止することが望まれている。
【０００６】
特に、配電線路の障害となる樹木の枝を伐採する作業では、樹木が導電経路となるため、作業者が絶縁性（ゴム製）の保護具を着用する必要がある。このため、樹木の昇降作業において使用する昇降具や昇降補助具（墜落防止具）としては、装備は極力軽くすることが望まれている。
また、育林のために植林した樹木の枝打ちをする作業は、林道から離れた山奥で行うことが多い。チェーンソーや鋸と共に携帯する昇降具や昇降補助具に関して、軽量なものでなければ、林業作業者は携帯しづらいのが現状である。
【０００７】
従来の樹木昇降補助具としては、特開２００６−２３９１８３号のものがある。
これは、足場を作りながら樹木に昇る昇降具であり、この昇降具を手持ちの安全帯と連結することにより、墜落を阻止しようとするものである。
【０００８】
しかしながら前記従来品は、墜落時に荷重を支持するために樹木に取り付けられる支持ベルトが作業者の足元近くになることがあり、落下距離が長くなり衝撃荷重が大きくなる場合がある。最悪の場合、樹木の低い位置で墜落事故が発生したとき、落下距離が長いために地面に激突するおそれがある。この前記従来品は、主ベルトと巻付ベルトが連結されているためバックルを使用して樹木の径の違いに対応しているが、墜落時にはその衝撃荷重によりベルトが伸び、また大きな荷重が加わることによりバックルが滑り、更に落下距離は長くなる。
また、前記従来品は、樹木が大きく曲がっていたり、巻付ベルトを巻き付ける位置に枝がある場合には使用できないことがある。更に、身軽で昇降したいのに、腰元に大量に携帯して昇降することは、労力を要するばかりではなく、枝等の障害物に引っ掛かる危険性が増大する。
【先行技術文献】
【特許文献】
【０００９】
【特許文献１】特開２００６−２３９１８３号公報
【発明の概要】
【発明が解決しようとする課題】
【００１０】
本発明が解決しようとする主な問題点は、柱上安全帯のみでは、枝等があって柱上安全帯のフックを掛け替えるときに、フックが樹木の幹と連結されていない無胴綱状態が生じる点である。また、前記課題を解決すべく発明された特許文献１の技術は、足場を作りながら樹木に昇る、という技術的思想の発明であり、荷重支持点が足元近くになって落下距離が長くなり、衝撃荷重が大きくなる点、及び曲がった樹木や枝の位置により取付けできないことがある点、軽装備での昇降ができない点が課題である。
【００１１】
そこで本発明は、線下伐採や枝打ちの作業者が一般的に使用している樹木昇降具と併用して使用でき、安全帯のフックを掛け替えるときも無胴綱状態が回避でき、安全帯のフックを掛ける荷重支持点を腰より高い位置とすることにより万が一の落下時に於ける衝撃荷重が低減できる、樹木昇降補助具とそれを用いた樹木昇降方法の提供を目的としている。
【課題を解決するための手段】
【００１２】
上記課題を解決するため、本発明は、一端のベルトを折り返して縫着したアイ部（ロープやベルトを加工した輪状の部分）と、ベルトの他端及び他端近辺に重連的に複数の環部とを設けたチョーク台付ベルトで樹木を抱き込み、その一端のアイ部を他端又は他端近辺の環部の輪の中に挿入して、台付部（荷や物を固定する部分）を構成する。一方、安全帯の墜落防止ロープの先端に、チョーク台付ベルトのアイ部に係止可能なフックを２ケ設け、墜落防止ロープと樹木に廻し掛けしたチョーク台付ベルトとにより、作業者と樹木を接続可能とする。順次盛り替えて取り付ける複数のチョーク台付ベルトと墜落防止ロープを使用して、作業者は常に少なくとも１ケのフックがチョーク台付ベルトに接続されている状態で昇降を行う。
【００１３】
前記チョーク台付ベルト他端及び他端近辺の環部は、それぞれがほぼ同径の輪状に形成されており、そのベルト本体にほぼ等間隔で、重連的に設けられている。作業者は、それらの環部の中で最も適切な環部を選択して使用することにより、異なった径の樹木にチョーク台付ベルトを巻き付けて、安全な長さで使用することができる。
【００１４】
前記墜落防止ロープの一端と２ケのフックを並列的に連結するために、三つ目環（取付プレート）が用いられている。この連結方法により、厚手の手袋を履いていても、そのフック同士が離隔された状態で連結されているので、重なり合うことなく、フックの選択及び把持が容易となり、作業性が向上する。
【００１５】
作業者は、先ず、１本目のチョーク台付ベルトを自分の身長程度の高さ位置になるよう樹木に巻き付け、墜落防止ロープ先端の一方のフックａを１本目のチョーク台付ベルトのアイ部に係止し墜落を防止する。次に、昇降具を使用して１本目のチョーク台付ベルトが自分の腰より高い位置まで昇る。続いて、別の２本目のチョーク台付ベルトを自分の身長程度の高さ位置になるよう樹木に巻き付け、墜落防止ロープの他方のフックｂを２本目のチョーク台付ベルトのアイ部に係止して墜落を防止する。続いて、フックａを１本目のチョーク台付ベルトのアイ部から取り外し、１本目のチョーク台付ベルトを樹木より取り外す。そして、２本目のチョーク台付ベルトが自分の腰の位置に来るまで作業者が昇る。この工程又は逆手順を繰り返して昇降する。
これらの工程において、作業者は絶えず本発明の昇降補助具により、樹木の幹と接続されている。また、チョーク台付ベルトの巻き付け箇所である荷重支持点は、絶えず作業者の腰より高い位置である。
【００１６】
前段落では、１本目、２本目のチョーク台付ベルトを盛り替えながら昇降したが、１本目、２本目、３本目、４本目とチョーク台付ベルトを複数本用意し、チョーク台付ベルトを樹木に配置しながら昇降する方法もある。
作業者は、先ず、１本目のチョーク台付ベルトを自分の身長程度の高さ位置になるよう樹木に巻き付け、墜落防止ロープ先端の一方のフックａを１本目のチョーク台付ベルトのアイ部に係止し墜落を防止する。次に、昇降具を使用して１本目のチョーク台付ベルトが自分の腰より高い位置まで昇る。続いて、別の２本目のチョーク台付ベルトを自分の身長程度の高さ位置になるよう樹木に巻き付け、墜落防止ロープの他方のフックｂを２本目のチョーク台付ベルトのアイ部に係止して墜落を防止する。続いて、フックａを１本目のチョーク台付ベルトのアイ部から取り外す。続いて、２本目のチョーク台付ベルトが自分の腰の位置に来るまで作業者が昇る。そして、３本目のチョーク台付ベルトを自分の身長程度の高さ位置になるよう樹木に巻き付け、１本目のチョーク台付ベルトより取り外した墜落防止ロープ先端の一方のフックａを３本目のチョーク台付ベルトのアイ部に係止し墜落を防止する。以下同様にして所定の位置まで昇り、降りるときは、最終設置のチョーク台付ベルトから順次撤去しながら、同様の逆手順を繰り返して降りる。
これらの工程において、作業者は絶えず本発明の昇降補助具により、樹木の幹と接続されている。また、チョーク台付ベルトの巻き付け箇所である荷重支持点は、絶えず作業者の腰より高い位置である。
【発明の効果】
【００１７】
本発明に係る樹木昇降補助具を用いることで、安全帯のフックを掛け替えるときの無胴綱状態が回避できる。安全帯のフックを掛ける荷重支持点が腰より高い位置であり、万が一の落下時に於ける衝撃荷重を低減させる効果がある。また、本発明の樹木昇降補助具は樹木の曲りや枝の位置に影響を受けることなく墜落が防止できる。更に、軽量で運搬性が良く、嵩張らないので本発明の樹木昇降補助具が枝等の障害物に引っ掛かって作業者が体勢を崩す危険性が少ない。
【図面の簡単な説明】
【００１８】
【図１】本発明の実施形態に係る樹木昇降補助具の、使用状態が示された説明図である。
【図２】本発明の実施例１に係る墜落防止ロープ１が示された正面図及び柱上安全帯３のＤ環３３への取付図である。
【図３】本発明の実施例１に係る墜落防止ロープ１の三つ目環（取付プレート）１２が示された正面図である。
【図４】本発明の実施例１に係るチョーク台付ベルト２が示された正面図及び側面図である。
【図５】本発明の実施例１に係るチョーク台付ベルト２の変形例が示された側面図である。
【図６】樹木を昇降する作業者が使用する柱上安全帯３が示された正面図である。
【図７】本発明の実施例１の樹木昇降方法１−１の工程が示された説明図である。
【図８】本発明の実施例１の樹木昇降方法１−２の工程が示された説明図である。
【図９】本発明の実施例２に係る墜落防止ロープ５が示された正面図及び側面図である。
【図１０】本発明の実施例２に係るチョーク台付ベルト６が示された正面図及び側面図である。
【図１１】本発明の実施例３に係る墜落防止ロープ７が示された正面図である。
【発明を実施するための形態】
【００１９】
＜樹木に昇降するときに、本発明の樹木昇降補助具と併用される昇降具及び安全帯＞
以下、図面を参照しつつ本発明に係る実施の形態について説明する。図１は、樹木昇降補助具の使用状態が示された説明図である。先ず、作業者は主ランヤード３１を備えた柱上安全帯３を装着し、その主ランヤード３１で樹木の幹を抱き込んだ後、主ランヤード３１のフックを安全帯のＤ環３３に係止する。次に、作業者の片足裏程度の大きさを有し、樹木に固定するためのロープ又はベルトを備えたステップ４（単体足場）を、自分の昇降可能な間隔（５０ｃｍ程度）で、第１ステップ４Ａ、第２ステップ４Ｂ、第３ステップ４Ｃと、順次配置しながら木に昇る。作業位置に到着後は、樹木との間にＵ字状の体勢保持を行って両手を自由として作業する。木から降りるときは、逆の手順でステップ４を順次撤去しながら降りる。
尚、説明を簡素化するために、以下ではステップ４の取り付け、取り外しに関する記載を省略して説明する。
【００２０】
図１に示すように、本発明の樹木昇降補助具は、先端に２ケのフック１３ａ，１３ｂを備えた墜落防止ロープ１と、一端にアイ部２２が設けられて、他端に複数個の環部２３、２４、２５が設けられた、少なくとも２本のチョーク台付ベルト２とで構成される。
後で詳しく説明するが、このチョーク台付ベルト２の本数は、作業者の昇降に従ってチョーク台付ベルト２を盛り替える場合は２本でよい。また、盛り替えないで、昇るときに順次配置し、降りるときに順次撤去する場合は、昇降する樹木の高さによりチョーク台付ベルト２の必要数が決まる。
【実施例１】
【００２１】
図２(ａ)は、本発明の実施例１に係る墜落防止ロープ１が示された正面図である。この墜落防止ロープ１は、ロープ１１と、三つ目環（取付プレート）１２と、２ケのフック１３ａ，１３ｂと、を備えている。
【００２２】
図３は、本発明の実施例１に係る墜落防止ロープ１の三つ目環（取付プレート）１２が示された正面図である。図３に示すように、三つ目環１２は２ケのフック連結孔１２１ａ，１２１ｂと、ロープ連結孔１２２を有している。このフック連結孔１２１ａ，１２１ｂは、中心軸Ｙ−Ｙの両側に相対して設けられている。またロープ連結孔１２２は、その中心を中心軸Ｙ−Ｙ上として設けられている。
【００２３】
図２(ａ)及び図３に示すように、ロープ１１の一端が三つ目環１２のロープ連結孔１２２に編み込まれ、フック連結孔１２１ａ，１２１ｂにフック１３ａ，１３ｂがＵシャクル１４ａ，１４ｂで並列して接続されている。また、ロープ１１は、その他端が環状に編み込まれて、環状部１５を形成している。
【００２４】
前記ロープ１１は、柱上安全帯を使用する作業者が主ランヤードの掛け替え時に使用する副ランヤードと同仕様のもので、通常、φ１０〜１２ｍｍのナイロン製のロープであり、三つ目環１２への編み込みは「さつま加工」と呼ばれる編み込み方法である。本実施例では繊維ロープを使用しているが、定められた強度（１５．０ｋＮ以上の引張強度）を有するものであれば、ベルト製のストラップ等を使用して縫合してもよい。ここで「定められた強度」とは、「安全帯の規格」及び「安全帯構造指針」の規格値をいう。
【００２５】
ここで、墜落防止ロープ１の長さは特に特定するものではないが、万が一の落下時における衝撃荷重を低く抑えるために、作業の支障にならない程度で出来る限り短いことが望ましい。具体的には、柱上安全帯に取り付ける副ランヤードのランヤード長さ（ロープ長さ＋フック長さ）は、フックを掛ける掛止物が特定されないこともあり、標準で１．６〜１．７ｍであるが、本実施例では、図１に示すように、墜落防止ロープ１のフックを掛ける掛止物であるチョーク台付ベルト２が、作業者の体の前で、腰から頭程度の高さ位置であるので、ランヤード長さを、１．０〜１．４ｍとすることができる。
【００２６】
また、前記三つ目環１２は、定められた強度（１１．５ｋＮ以上の引張強度）を有するために、鉄製またはアルミ製で、板材の打ち抜き加工やレーザーカット加工、或いは鍛造で製作されている。この三つ目環１２は３ケの孔を有しているが、孔の数は限定されず、ロープ１１と２ケのフック１３ａ，１３ｂとが接続できればよい。具体的には、孔を１ケとし、その１ケの孔にロープ１１とＵシャクル１４ａ，１４ｂを全て連結してもよい。しかしながら、作業者がフックを係止する際に、フック１３ａとフック１３ｂが混同しないように、別孔に接続されることが望ましい。
【００２７】
また、三つ目環１２とフック１３ａ，１３ｂとを接続するために、本実施例ではＵシャクル１４ａ，１４ｂを使用しているが、三つ目環１２と同様の定められた強度を有する手法であれば、その接続方法は限定されない。最もシンプルな接続方法としては、フック１３ａ，１３ｂの環部に直接ロープ１１を編み込んで接続することも可能である。つまり、三つ目環１２とＵシャクル１４ａ，１４ｂは、墜落防止ロープ１を構成する必須要素ではない。しかしながら、製造時の組立性、作業時におけるフックの取扱い性を考えると、三つ目環１２とＵシャクル１４ａ，１４ｂを備えることが望ましい。
【００２８】
図２(ｂ)は、本発明の実施例１に係る墜落防止ロープ１の、安全帯３のＤ環３３への取付図である。図２(ｂ)に示すように、ロープ１１端部の環状部１５をＤ環３３に挿通した後、その環状部１５に２ケのフック１３ａ，１３ｂを接続した三つ目環１２を挿通し、環状部１５の輪が締まる状態とすることにより、墜落防止ロープ１が柱上安全帯３のＤ環３３に連結される。そのために、環状部１５の輪の大きさは２ケのフック１３ａ，１３ｂを接続した三つ目環１２が挿通出来る大きさである。本実施例では墜落防止ロープ１の他端に環状部１５を設けたが、フックやカラビナを用いて柱上安全帯３のＤ環３３と連結してもよい。
【００２９】
図４（ａ）及び図４（ｂ）は、本発明の実施例１に係るチョーク台付ベルト２が示された正面図及び側面図である。図４（ａ）及び図４（ｂ）に示すように、チョーク台付ベルト２は、ベルト本体２１の一端に墜落防止ロープ１のフック鉤部が係止可能な大きさの輪状に形成したアイ部２２が設けられており、ベルト本体２１の他端にアイ部２２が挿入可能な大きさの輪状に形成した複数個の環部２３、２４、２５が設けられている。
【００３０】
アイ部２２は、ベルト本体２１の一端を折り返して、フック１３ａ，１３ｂの鉤部が樹上で容易に係止できる大きさ（φ５０ｍｍ程度）の輪が形成され、折り返したベルト端部から所定の長さで縫合されている。この所定の長さとは、定められた強度（使用状態であるチョーク吊り状態で、１１．５ｋＮ以上の引張強度）と、耐久性（通常の使用時における摩耗、紫外線等による劣化に耐える性能）を考慮して決定した縫合長さである。また、このアイ部２２には金属製のフック１３ａ，１３ｂが係止されるので、輪状部分に摩耗防止のための保護部材である摩耗防止布２２１で覆われており、前記の縫合部には摩耗による縫い糸の劣化防止のために熱収縮チューブ２２２が被せられている。
【００３１】
環部２３は、ベルト本体２１の他端をアイ部２２と同様に折り返して、アイ部２２が挿入可能な大きさ（φ５０ｍｍ程度）の輪が形成され、アイ部２２の縫合と同様に、折り返したベルト端部から所定の長さで縫合されている。
環部２４、２５は、別体で成るベルトが折り返されて、アイ部２２が挿入可能な大きさ（φ５０ｍｍ程度）の輪が形成され、折り返したベルト端部から所定の長さで、ベルト本体２１に縫合されている。
これら縫合の所定長さはアイ部２２の縫合と同じであり、縫合部には摩耗による縫い糸の劣化防止のために熱収縮チューブ２２２が被せられている。
【００３２】
これらの環部２３、２４、２５は、それぞれがほぼ同径の輪状に形成されており、ベルト本体２１にほぼ等間隔で、重連的に設けられている。図４（ｂ）に示すように、環部２３、２４、２５は、その輪状部と隣の環部の縫合部とが重ならない程度の位置に配置されている。これにより、チョーク吊りの如く絞って樹木に巻き付けるときに、樹木の径によって環部２３、２４、２５の何れかを選択して、アイ部２２を挿入することにより、様々な樹木の径に対応できる。当然のことながら、樹木はその大きさにより径が異なり、１本の樹木でもその高さ位置によって順次径が異なっている。そのために、チョーク台付ベルト２は、数種類の全長を有するものが用意されている。しかしながら、複数の重連の環部を設けることにより、１種類で樹の高さ位置による径の違いにほぼ対応できる。
また、本実施例では輪状部を環部２３、２４、２５と３ケとしているが、輪状部の数はチョーク台付ベルト２の全長により適宜決定される。更に、輪状部の径が同径でなくとも、環部の配置位置が等間隔でなくとも、輪状部の径と環部の配置位置を組み合わせて、樹木の様々な径に対応してもよい。
【００３３】
図５（ａ）、図５（ｂ）及び図５（ｃ）は、本発明の実施例１に係るチョーク台付ベルト２の変形例が示された側面図である。図５（ａ）に示すように、環部２３、２４、２５は、ベルト本体２１の片面のみではなく、両面に適宜縫合されてもよい。図５（ｂ）に示すように、ベルト本体２１を折り返されずに、環部２３を別体で成るベルトで縫合してもよい。図５（ｃ）に示すように、環部２４、２５を別体で成るベルトで縫合せずに、ベルト本体２１を折り返して縫合し、複数の輪状部を設けてもよい。
【００３４】
本発明のチョーク台付ベルト２を構成するベルトは、樹木に巻き付け易いように可撓性を有する材料で形成されている。具体的には、ナイロン、ポリエステル、アラミド繊維等を用いることができる。幅、厚さは、定められた強度（１５．０ｋＮ以上の引張強度）を有する範囲で、出来る限り軽量なものが選定されている。具体的には、２０ｍｍ×３ｍｍ程度であれば扱い易い。
また、本実施例ではベルトを使用しているが、定められた強度を有するものであれば、繊維ロープ等を使用してもよい。
【００３５】
図６は、樹木を昇降する作業者が使用する柱上安全帯３が示された正面図である。図６に示すように、柱上安全帯３は主ランヤード３１と胴ベルト３２を備えている。この胴ベルト３２にＤ環３３が設けられている。図２(ｂ)に示すように、墜落防止ロープ１が柱上安全帯３のＤ環３３に連結されている。
【００３６】
昇降具であるステップ４及び柱上安全帯３を使用して樹木に昇降する方法については前述したが、ここで、墜落防止ロープ１とチョーク台付ベルト２とから成る樹木昇降補助具を使用して墜落を防止しながら安全に昇降する方法について説明する。
【００３７】
先ず作業者は、自分の身長程度の高さ位置で、１本目のチョーク台付ベルト２Ａ（第１チョーク台付ベルト）で樹木の幹を抱き込み、アイ部２２を、環部２３、２４、２５の何れかに挿入した後、チョーク吊りの如く絞って樹木に巻き付ける。その後、柱上安全帯３に連結された墜落防止ロープ１の一方のフック１３ａを、第１チョーク台付ベルトのアイ部２２に係止する。続いて、第１ステップ４に昇る。このとき、第１チョーク台付ベルトに掛けられたフック１３ａの係止点は、作業者の腰より高い位置であり、万が一の落下した場合でも衝撃荷重が抑制される。
【００３８】
次に作業者は、自分の身長程度の高さ位置で、２本目のチョーク台付ベルト２Ｂ（第２チョーク台付ベルト）を、第１チョーク台付ベルトと同様にして樹木に巻き付ける。そして、墜落防止ロープ１の他方のフック１３ｂを、第２チョーク台付ベルトのアイ部２２に係止した後、墜落防止ロープ１の一方のフック１３ａを、第１チョーク台付ベルトから取り外す。続いて、第２ステップ４に昇る。このとき、第２チョーク台付ベルトに掛けられたフック１３ｂの係止点は、作業者の腰より高い位置であり、万が一の落下した場合でも衝撃荷重が抑制される。以後、この手順を繰り返して昇って行く。降りるときは、この逆手順を繰り返す。
【００３９】
このように、墜落防止ロープ１のフック１３ａ，１３ｂの何れかが、作業者の腰より高い位置で、チョーク台付ベルト２に接続されている。枝等があって、柱上安全帯３の主ランヤード３１のフックを掛け替えるときも、無胴綱状態が回避できる。
このチョーク台付ベルト２の樹木への取付方法はチョーク締付方式なので、樹木の曲りがあっても巻き付けることができる。また、巻き付けたい位置に枝があっても、取付点を変更して巻き付けることができる。従って、本発明の樹木昇降補助具は樹木の曲りや枝の位置に影響を受けることなく墜落が防止できる。具体的には、幹が極端に斜めになっていて、ステップ４が取付られないような不安定な状態が発生しても、本発明の樹木昇降補助具を取り付けることにより墜落が防止できる。
更に、特許文献１のように昇降用の足場と墜落防止具が一体のものでは、昇降・作業位置が限定されるが、本発明では幹の３６０°どの位置でも、墜落を防止しながらの昇降・作業ができる。具体的には、樹木を昇る時と降りる時のルートが幹を挟んで１８０°反対側の場合でも、チョーク台付ベルト２を緩めて、簡単に反転することが可能である。
【００４０】
また、本発明は、チョーク台付ベルト２で樹木の幹を抱き込み、アイ部２２を、環部２３、２４、２５の何れかに挿入した後、チョーク吊りの如く絞って樹木に巻き付ける手法であるが、その他の手法として、バックルを用いて樹木の幹に取り付ける手法もある。しかしながら、この手法は、万が一の落下時等、大きな荷重が加わったときに、ベルトの伸びにバックルの滑りが加算されて、落下距離が長くなり衝撃荷重が大きくなる。一方、チョーク式はベルトの伸びのみの要因であり、落下距離が抑制される。
【００４１】
作業者は、樹上で伐採等の作業を行うとき、柱上安全帯３の主ランヤード３１に体重を預けて作業を行う。このときの墜落事故の要因の一つのとして、フックの掛け間違いがある。具体的には、本来フックを係止すべきＤ環に掛けず、工具吊り用の簡易フックや簡易カラビナに掛けてしまい、墜落してしまうことが多々ある。本発明では、墜落防止ロープ１のフック１３ａ，１３ｂの何れかが、作業者の腰より高い位置で、チョーク台付ベルト２に接続されているので、作業者は安心して両手で伐採作業ができる。
【００４２】
本発明の墜落防止ロープ１は、従来の副ランヤードに三つ目環１２とフック１３ｂが付加されたのみであり、またチョーク台付ベルト２は繊維ベルト製であり、安全性を確保するものとしては非常に軽量である。装備的にも最低限の装備で済むため、作業性に優れている。従って、線下伐採の作業者も、山奥で作業する育林作業者も、作業能率を低下させることなく本発明の昇降補助具を使用できる。
【００４３】
図７（ａ）から図７（ｅ）は、本発明の実施例１の樹木昇降方法１−１の工程が示された説明図である。
図７（ａ）に示すように、工程（ａ）で、作業者は、１本目のチョーク台付ベルト２Ａを自分の身長程度の高さ位置になるよう樹木に巻き付け、墜落防止ロープ先端の一方のフック１３ａを１本目のチョーク台付ベルト２Ａのアイ部２２に係止する。
図７（ｂ）に示すように、工程（ｂ）で、作業者は、ステップ４Ａを使用して１段昇る。このとき、１本目のチョーク台付ベルトは自分の腰より高い位置である。
図７（ｃ）に示すように、工程（ｃ）で、作業者は、別体の２本目のチョーク台付ベルト２Ｂを自分の身長程度の高さ位置になるよう樹木に巻き付け、墜落防止ロープ１の他方のフック１３ｂを２本目のチョーク台付ベルト２Ｂのアイ部２２に係止する。
図７（ｄ）に示すように、工程（ｄ）で、作業者は、フック１３ａを１本目のチョーク台付ベルト２Ａのアイ部２２から取り外し、１本目のチョーク台付ベルト２Ａを樹木より取り外す。
図７（ｅ）に示すように、工程（ｅ）で、作業者は、ステップ４Ｂを使用して１段昇る。このとき、２本目のチョーク台付ベルトは自分の腰より高い位置である。
【００４４】
これらの工程（ａ）から工程（ｅ）を１サイクルとし、作業者は各工程を繰り返して樹木に昇る。また、逆手順を繰り返して樹木から降りる。これにより、樹木への昇降の開始から終了まで、作業者の腰より高い位置で、少なくとも１ケのフックが、いずれかのチョーク台付ベルトに接続されている。
【００４５】
図８（ａ）から図８（ｆ）は、本発明の実施例１の樹木昇降方法１−２の工程が示された説明図である。
図８（ａ）に示すように、工程（ａ）で、作業者は、１本目のチョーク台付ベルト２Ａを自分の身長程度の高さ位置になるよう樹木に巻き付け、墜落防止ロープ先端の一方のフック１３ａを１本目のチョーク台付ベルト２Ａのアイ部２２に係止する。
図８（ｂ）に示すように、工程（ｂ）で、作業者は、ステップ４Ａを使用して１段昇る。このとき、１本目のチョーク台付ベルト２Ａは自分の腰より高い位置である。
図８（ｃ）に示すように、工程（ｃ）で、作業者は、別体の２本目のチョーク台付ベルト２Ｂを自分の身長程度の高さ位置になるよう樹木に巻き付け、墜落防止ロープ１の他方のフック１３ｂを２本目のチョーク台付ベルト２Ｂのアイ部２２に係止する。
図８（ｄ）に示すように、工程（ｄ）で、作業者は、フック１３ａを１本目のチョーク台付ベルト２Ａのアイ部２２から取り外す。
図８（ｅ）に示すように、工程（ｅ）で、作業者は、ステップ４Ｂを使用して１段昇る。このとき、２本目のチョーク台付ベルト２Ｂは自分の腰より高い位置である。
図８（ｆ）に示すように、工程（ｆ）で、作業者は、３本目のチョーク台付ベルト２Ｃを自分の身長程度の高さ位置になるよう樹木に巻き付け、１本目のチョーク台付ベルト２Ａより取り外した墜落防止ロープ先端の一方のフック１３ａを、３本目のチョーク台付ベルト２Ｃのアイ部２２に係止する。
【００４６】
以下同様にして所定の位置まで昇る。このとき、複数のチョーク台付ベルト２は、ステップ４と同様に順次樹木に配置されている。降りるときは、最終設置のチョーク台付ベルトから順次撤去しながら、同様の逆手順を繰り返して昇降する。
これにより、樹木への昇降の開始から終了まで、作業者の腰より高い位置で、少なくとも１ケのフックが、いずれかのチョーク台付ベルトに接続されている。
【００４７】
通常、樹木に昇降する作業者が使用する安全帯は、その胴ベルト３２に胴綱と呼ばれる主ランヤード３１が取り付けられている柱上安全帯３と呼ばれる安全帯である。しかし、胴綱が取り付けられていない、Ｕ字つり使用のできない１本つり専用のタイプのものであっても、昇降が目的であれば本発明の樹木昇降補助具が使用できる。
作業者が樹木に昇降する方法として、ステップ４を配置しながら昇降する方法で説明したが、一本梯子を使用して昇降する場合や、爪の付いた金具を両足に装着して昇降する場合でも、同様に本発明の樹木昇降補助具が使用できる。即ち、本発明の樹木昇降補助具は、線下伐採や枝打ちの作業者が一般的に使用している樹木昇降具と併用して使用できる。
【実施例２】
【００４８】
以下、本発明の実施例２について説明する。上記実施例１と説明の重複する部分については同一の符号を付して説明を省略し、実施例１に対し、実施例２のうち差異を有する構造のみについて説明する。
【００４９】
図９は、本発明の実施例２に係る墜落防止ロープ５が示された正面図及び側面図である。この墜落防止ロープ５は、ロープ５１と、三つ目環５２と、フック５３と、を備えている。図９に示すように、三つ目環５２には３ケの孔が設けられており、その１ケの孔にロープ５１の一端が編み込んで接続されている。三つ目環５２の他の１ケの孔に、フック５３がＵシャクル５４で連結されている。三つ目環５２の残りの１ケの孔であるフック係止孔５２１は、次に説明するチョーク台付ベルト６のフック６２が係止可能な大きさの孔である。また、ロープ５１の他端は、実施例１と同様に柱上安全帯３のＤ環３３に連結するための環状部が設けられている。
【００５０】
図１０（ａ）及び図１０（ｂ）は、本発明の実施例２に係るチョーク台付ベルト６が示された正面図及び側面図である。図１０（ａ）及び図１０（ｂ）に示すように、チョーク台付ベルト６は、ベルト本体６１の一端にフック６２が連結されており、ベルト本体６１の他端に、フック６２が挿入可能な大きさの輪状に形成した複数個の環部６３、６４、６５が、ほぼ等間隔で、重連的に設けられている。
【００５１】
実施例１の樹木昇降方法１−１では、１本の墜落防止ロープ１と、２本のチョーク台付ベルト２を用い、墜落防止ロープ１の２ケのフック１３ａ，１３ｂを、２本のチョーク台付ベルト２のそれぞれのアイ部２２に係止し、作業者は絶えず樹木の幹と接続されて、墜落を防止するものであった。
本実施例２では、１本の墜落防止ロープ５と、１本のチョーク台付ベルト６と、１本の実施例１のチョーク台付ベルト２を用いて、墜落防止ロープ５のフック５３をチョーク台付ベルト２のアイ部２２に係止し、チョーク台付ベルト６のフック６２を墜落防止ロープ５の三つ目環５２のフック係止孔５２１に係止し、作業者は絶えず樹木の幹と接続されて、墜落を防止するものである。つまり、実施例２では、墜落防止ロープ５を柱上安全帯３と接続して、チョーク台付ベルト６及びチョーク台付ベルト２を樹木の幹に巻き付けた後、各々のフックとアイ部とを組み合わせながら、ほぼ実施例１と同様の手順で昇降して、フック掛け替え時等の無胴綱状態を回避する。
【００５２】
このようにフックとアイ部とを組み合わせが必要なので、実施例１の樹木昇降方法１−２の如く、チョーク台付ベルト６とチョーク台付ベルト２とを各々複数個用意して、順次樹木に配置しながら樹木に昇る場合は、チョーク台付ベルト６とチョーク台付ベルト２とを交互に配置する必要がある。
【実施例３】
【００５３】
以下、本発明の実施例３について説明する。上記実施例１及び上記実施例２と説明の重複する部分については同一の符号を付して説明を省略し、実施例１及び実施例２に対し、実施例３のうち差異を有する構造のみについて説明する。
【００５４】
図１１は、本発明の実施例３に係る墜落防止ロープ７が示された正面図である。この墜落防止ロープ７は、ロープ７１と、フック７２と、を備えている。図１１に示すように、ロープ７１の一端がフック７２の環部に編み込んで接続されている。ロープ７１の他端は、実施例１と同様に柱上安全帯３のＤ環３３に連結するための環状部が設けられている。
【００５５】
本実施例３では、２本の墜落防止ロープ７，７と、２本の実施例１のチョーク台付ベルト２，２を用いる。先ず、作業者は、その２本の墜落防止ロープ７，７を柱上安全帯３に接続する。この状態で、作業者側に２ケのフックが備えられている実施例１と同じ状態である。作業者はチョーク台付ベルト２を樹木の幹に巻き付けた後、墜落防止ロープ７のフック７２をチョーク台付ベルト２のアイ部２２に係止し、実施例１と同様にして、これを繰り返しながら昇降する。このとき、作業者は絶えず樹木の幹と接続されて、墜落が防止されている。
【００５６】
この実施例３の墜落防止ロープ７は、線下伐採の作業者が通常使用している「セフティロープ」と呼ばれる副ランヤードを使用してもよい。従って、作業者は主ランヤード１本と２本の墜落防止ロープ７との計３本のランヤードを装着しなければならない煩雑さはあるものの、特別な副ランヤードを用意する必要がなく、２本のチョーク台付ベルト２を用意すれば、墜落防止対策が採れる。しかしながら、万が一の落下時における衝撃荷重を低く抑えるために、墜落防止ロープ７の長さは、作業の支障にならない程度で出来る限り短いことが望ましい。
【実施例４】
【００５７】
図示しないが、他の実施形態として、実施例１の墜落防止ロープ１とチョーク台付ベルト２各１本を使用し、樹木の幹に巻き付けたチョーク台付ベルト２を取り外すことなく、ずり上げながら昇る方法もある。但し、枝等の障害物を交わすときのために、もう１本のチョーク台付ベルト２を携帯しておく必要がある。
【００５８】
作業者は、１本目のチョーク台付ベルト２を実施例１と同様にして樹木の幹に巻き付けて、墜落防止ロープ１の一方のフック１３ａを接続し、昇る高さ位置に合わせて、自分の腰より低くならないように、巻き付けたチョーク台付ベルト２をずり上げながら昇る。そして、枝等の障害物があって、ずり上げが出来ないときは、携帯した２本目のチョーク台付ベルト２を枝等の上側の幹に巻き付け、墜落防止ロープ１の他方のフック１３ｂを接続する。降りるときは、昇るときの逆手順を繰り返す。これにより、作業者は絶えず樹木の幹と接続されて、墜落が防止できるものである。尚、この方法は、樹木の表面が比較的滑らかな場合に利用可能である。
【符号の説明】
【００５９】
１  墜落防止ロープ
１１  ロープ
１２  三つ目環（取付プレート）
１２１  ロープ連結孔
１２２ａ，１２２ｂ  フック連結孔
１３ａ  フック（一方のフック）
１３ｂ  フック（他方のフック）
１４ａ，１４ｂ  Ｕシャクル
１５  環状部
２  チョーク台付ベルト
２１  ベルト本体
２２  アイ部
２３、２４、２５  環部
３  柱上安全帯
３１  主ランヤード
３２  胴ベルト
３３  Ｄ環
４  ステップ（単体足場）
５  墜落防止ロープ
５１  ロープ
５２  三つ目環
５２１  フック係止孔
５３  フック
５４  Ｕシャクル
６  チョーク台付ベルト
６１  ベルト本体
６２  フック
６３、６４、６５  環部
７  墜落防止ロープ
７１  ロープ
７２  フック
【図１】
0005651514.tif 000002
【図２】
0005651514.tif 000003
【図３】
0005651514.tif 000004
【図４】
0005651514.tif 000005
【図５】
0005651514.tif 000006
【図６】
0005651514.tif 000007
【図７】
0005651514.tif 000008
【図８】
0005651514.tif 000009
【図９】
0005651514.tif 000010
【図１０】
0005651514.tif 000011
【図１１】
0005651514.tif 000012